(57)【要約】  【課題】配線作業を簡略化し、誤配線の虞を軽減できる昇降装置システムを提供する。  【解決手段】整流回路１４から出力された直流電源は操作スイッチ１２に分岐して接続される。操作スイッチ１２は、上昇、下降および停止を選択することができ、停止を選択すると操作スイッチ１２には電力が供給されないため直流モータ５は動作しない。上昇を選択すると操作スイッチ１２間に直流電圧が印加されるため直流モータ５が回転し、ドラム６を回転させワイヤ９を巻き取ることによって昇降部８を上昇させる。また反対に下降を選択すると操作スイッチ１２間に上昇時とは逆の直流電圧が印加されるため、直流モータ５は上昇時とは逆に回転しドラム６はワイヤ９を巻き下ろすため昇降部８が下降する。  このように構成することによって操作盤１１と昇降装置３間の配線を３線から２線と減少させるとことができ、配線作業が簡略化することができる。  【選択図】図３
2005093212.tif 000002
【特許請求の範囲】
【請求項１】
印加される直流電源の極性により正逆に回転させるための直流モータと、直流モータの回転とともに回転される巻取りドラムと、巻取りドラムによって巻装さるワイヤと、ワイヤによって吊り下げられ巻き取りドラムの回転によって昇降される昇降部と；を具備している昇降装置と；
商用電源を直流に変換する整流手段と、整流手段によって得られた直流電源の極性を切り替えて昇降装置の直流モータに供給する上昇下降選択手段と、を具備している操作盤と；
を具備していることを特徴とする昇降装置システム。
【発明の詳細な説明】
【技術分野】
【０００１】
本発明は、高天井に設置される昇降装置およびそれを操作する操作盤を備えた昇降装置システムに関する。
【背景技術】
【０００２】
体育館や工場などの天井の高い建物には、ランプの交換や器具の清掃などのメンテナンスを容易にするため、照明装置に電動機を設け灯具の昇降を行う昇降装置が用いられている。
【０００３】
昇降装置は、天井などに昇降装置本体を設置し、この昇降装置本体内に電動機およびこの電動機の正逆回転駆動によってワイヤを巻取繰出するドラムを配設し、このドラムから繰出されたワイヤの先端に電気機器を備えた昇降部を連結している。
【０００４】
このような昇降装置を昇降させるときには、特許文献１や特許文献２に記載されているように、昇降装置および操作盤には、上昇端子、下降端子、共通端子が設けられ、昇降部を上昇させる場合には、操作盤側に配設されている操作スイッチなどによって上昇端子と共通端子との間に、交流の商用電源が印加されるように切り替えを行っており、昇降部を下降させる場合には、下降端子と共通端子との間に、交流の商用電源が印加されるように操作盤の操作スイッチを切り替えている。また、昇降装置を複数設置して一度に昇降させる場合には、各々の上昇端子、下降端子、共通端子を並列接続して、操作盤のそれぞれの端子に接続され、商用電源が印加される。
【特許文献１】特開２００２−１０４７８２号公報
【特許文献２】特開２００３−２０８８１２号公報
【発明の開示】
【発明が解決しようとする課題】
【０００５】
しかしながら、このような構成の場合、操作盤から昇降装置間および昇降装置間には、３本ずつ電源線が配線されることとなる。この場合、配線作業が煩雑になるばかりでなく、誤配線をする可能性も高くなり、昇降部の誤動作やモータの劣化などを生じてしまう虞がある。
【０００６】
そこで、本発明では、操作盤から昇降装置間および昇降装置間の配線数を２本にすることにより、配線作業を簡略化し、誤配線の虞を軽減できる昇降装置システムを提供するものである。
【課題を解決するための手段】
【０００７】
請求項１の発明の昇降装置システムは、印加される直流電源の極性により正逆に回転させるための直流モータと、直流モータの回転とともに回転される巻取りドラムと、巻取りドラムによって巻装さるワイヤと、ワイヤによって吊り下げられ巻き取りドラムの回転によって昇降される昇降部と；を具備している昇降装置と；商用電源を直流に変換する整流手段と、整流手段によって得られた直流電源の極性を切り替えて昇降装置の直流モータに供給する上昇下降選択手段と、を具備している操作盤と；を具備している。
【０００８】
本発明および以下の発明において、特に指定しない限り、用語の定義および技術的な意味は次による。
【０００９】
昇降装置本体は天井などに固定されており、直流モータ、ドラム等を備えており電動機によりドラムを回転させワイヤの巻き上げ、巻き降しにより昇降部を昇降させる機能を備えている。また、点灯装置などを昇降装置本体側に収納することもできる。ワイヤは、昇降部を吊持することができればよく、索条、線状、ベルト状などの形状を許容する。直流モータは直流電圧を印加する事によって回転踏査させるものであり直流電圧の極性を反転させると逆回転するものである。
【００１０】
また操作盤は、高天井面に据え付けられている昇降装置の昇降操作を行うものであり、通常壁面などに備え付けられる。操作盤には商用交流電源が供給され、この商用交流電源を直流電圧に変換する整流手段および上昇、下降および停止を指令する操作スイッチが設けられている。整流手段によって得られる直流電圧は、操作スイッチを上昇および下降に切り替えることにより昇降装置の直流モータに印加する直流電圧の極性を切り替えている。このように操作スイッチを切り替えることによって、直流モータは正逆の回転を切り替えることができる。
【００１１】
操作盤によって、複数の昇降装置を操作することが可能である。また、操作盤に複数の操作スイッチを備えることもできる。さらに１つの操作スイッチで複数の昇降装置を操作することも可能である。
【発明の効果】
【００１２】
本発明によれば、操作盤から昇降装置間および昇降装置間の配線数を２本にすることができるので、配線作業を簡略化し、誤配線の虞を軽減できる昇降装置システムを提供できる。
【発明を実施するための最良の形態】
【００１３】
図１は、例えば体育館のような構築物１の天井２に昇降装置３および昇降装置３に照明装置４を据え付けた状態を示している。
【００１４】
昇降装置３、四角形の箱状をなしたハウジング７およびハウジング７の上方に張り出した吊り金具７１を備えている。この吊り金具７１が天井２に固定されている。
【００１５】
ハウジング７の内部には、図２にも示すように、そのハウジング７内に、直流モータ５により正逆自在に回転されてワイヤロープ９を巻取り、または巻戻しする巻取ドラム６を内蔵している。ワイヤロープ９は、照明器具４を連結支持した昇降体８を吊持している。照明装置４は、反射板などを備えた器具本体４１、ランプ４２およびランプ４２を支持するソケット（図示しない）を有している。そうして、このワイヤロープ９の巻取ドラム６への巻取り、または巻戻しにより照明器具４が昇降され、照明器具４を床より若干上方の低位置まで下降させ、その位置で停止させることにより、この器具４のランプ４２の交換等の保守点検を容易に行なうことができる。
【００１６】
昇降装置３からは昇降装置３の直流モータ５を駆動するための電源線１０が引き出され、操作盤１１に接続される。操作盤１１には通常複数の昇降装置３につながる電源線１０が複数引き出されるがここでは省略して昇降装置３を１つとして説明している。操作盤１１は、構築物１の壁面２に取り付けられることが多く昇降装置３に電源を供給する電源線１０と商用交流電源が供給される電源線（図示しない）が接続される。操作盤の表面には操作手段である操作スイッチ１２が接続される。操作スイッチ１２は上昇、下降および停止を選択することが可能である。
【００１７】
次に図３を参照して、動作について説明する。商用交流電源１４は操作盤１１内の整流回路１４によって整流されて整流回路から直流電源を出力する。整流回路１４から出力された直流電源は操作スイッチ１２に分岐して接続される。操作スイッチ１２は、上昇、下降および停止を選択することができ、停止を選択すると操作スイッチ１２には電力が供給されないため直流モータ５は動作しない。上昇を選択すると操作スイッチ１２間に直流電圧が印加されるため直流モータ５が回転し、ドラム６を回転させワイヤ９を巻き取ることによって昇降部８を上昇させる。また反対に下降を選択すると操作スイッチ１２間に上昇時とは逆の直流電圧が印加されるため、直流モータ５は上昇時とは逆に回転しドラム６はワイヤ９を巻き下ろすため昇降部８が下降する。
【００１８】
このように構成することによって操作盤１１と昇降装置３間の配線を３線から２線と減少させるとことができ、配線作業が簡略化することができる。
【００１９】
また、上記実施形態では、操作盤１２に昇降装置３を1つのみを接続する形態を説明したが、操作盤１１に複数の昇降装置３を接続すること、昇降装置３を直接に接続して操作盤１１の1つの操作スイッチ１２を操作することによって直列に接続された複数の昇降装置３を操作することも許容される。
【図面の簡単な説明】
【００２０】
【図１】体育館のような構築物の天井に昇降装置システムを備えた状態を示す斜視図。
【図２】昇降装置の小康状態を締めず構成図。
【図３】昇降装置システムの回路図。
【符号の説明】
【００２１】
３・・・昇降装置  ４・・・照明器具  １１・・・操作盤  １２・・・操作スイッチ  １０・・・電源線２３  ５・・・直流モータ
【図１】
2005093212.tif 000003
【図２】
2005093212.tif 000004
【図３】
2005093212.tif 000005